(57)【要約】【課題】平面に組合せ又は立体三面錐体に積み重ねる形式で脳力開発に有効な積み木装置の提供。【解決手段】形状の異なる８個の積み木１Ａ〜１Ｈを配列盤に長さ方向に７個、幅方向に５個並べて方形平面体５０に組合せ、また三角形ゲームベースの各辺に５個、底部の総数１５個、高さ５段６１〜６５の立体三面錐体６０に積み重ねる。さらに、形状の異なる４個の積み木１Ｉ〜１Ｌを追加して、長さ方向に８個、幅方向に７個に並べて方形平面体７０に組合せ、また各辺に６個、底部の総数２１個、高さ６段８１〜８６の立体三面錐体８０に積み重ねる。【選択図】図８
2008272484.tif 000002
【特許請求の範囲】
【請求項１】
３〜５個ユニットの二次元角度で作られた、形状の異なる８個の積み木１Ａ〜１Ｈにより構成され、
積み木１Ａは４個のユニットａ１〜ａ４からなり、第１から第３ユニットａ１〜ａ３は垂直につながり、第４ユニットａ４は第３ユニットａ３の片側に水平につながり、
積み木１Ｂは５個のユニットｂ１〜ｂ５からなり、第１から第３ユニットｂ１〜ｂ３は垂直につながり、第４と第５ユニットｂ４、ｂ５は垂直につながり、前記第４と第５ユニットｂ４、ｂ５は前記第１と第２ユニットｂ１〜ｂ２の片側に水平につながり、
積み木１Ｃは５個のユニットｃ１〜ｃ５からなり、第１から第４ユニットｃ１〜ｃ４は垂直につながり、第５ユニットｃ５は前記第３ユニットｂ３の片側に水平につながり、
積み木１Ｄは３個のユニットｄ１〜ｄ３からなり、第１と第２ユニットｄ１、ｄ２は垂直につながり、第３ユニットｄ３は前記第１ユニットｂ１の片側に水平につながり、
積み木１Ｅは５個のユニットｅ１〜ｅ５からなり、第１と第２ユニットｅ１、ｅ２は垂直につながり、第３と第４ユニットｅ３、ｅ４は垂直につながり、第３ユニットｅ３は、前記第２ユニットｅ２の左片側に水平につながり、第５ユニットｅ５は前記第４ユニットｅ４の左片側に水平につながり、
積み木１Ｆは４個のユニットｆ１〜ｆ４からなり、第１と第２ユニットｆ１、ｆ２は垂直につながり、第３と第４ユニットｆ３、ｆ４は垂直につながり、第３ユニットｆ３は前記第２ユニットｆ２の片側に水平につながり、
積み木１Ｇは４個のユニットｇ１〜ｇ４からなり、第１から第３ユニットｇ１〜ｇ３は垂直につながり、第４ユニットｇ４は前記第２ユニットｇ２の片側に水平につながり、
積み木１Ｈは５個のユニットｈ１〜ｈ５からなり、第１から第３ユニットｈ１〜ｈ３は垂直につながり、第４ユニットｈ４は前記第２ユニットｈ２の左片側に水平につながり、第５ユニットｈ５は第２ユニットｈ２の右片側に水平につながり、
平面に組合せ又は立体三面錐体に積み重ねる、
ことを特徴とする積み木装置。
【請求項２】
長さ方向に７個、幅方向に５個のユニットを組合せるための配列盤３０Ａを備え、前記配列盤３０Ａに８個の積み木１Ａ〜１Ｈを入れて、総数３５個の方形平面体５０を作る請求項１に記載の積み木装置。
【請求項３】
配列盤３０Ａ内の底面に３５個の方形の定位置切込み溝３２が並べて形成され、８個の積み木１Ａ〜１Ｈの各ユニットの表面に、前記定位置切込み溝３２内に嵌め込み可能な定位置バンプ１１が設けられる請求項２に記載の積み木装置。
【請求項４】
各辺に５個、総数１５個の三角定位置切込み溝４２を有する三角形ゲームベース４０Ａを備え、前記三角形ゲームベース４０Ａに８個の積み木１Ａ〜１Ｈを入れて、高さ５段６１〜６５の立体三面錐体６０を作る請求項１に記載の積み木装置。
【請求項５】
前記請求項１の積み木装置１０に４個の積み木を追加して作られた１２個の積み木１Ａ〜１Ｌにより構成され、
前記積み木装置１０はそれぞれ、３〜５個ユニットの二次元角度で作られた、形状の異る８個の積み木１Ａ〜１Ｈで構成され、
積み木１Ａは４個のユニットａ１〜ａ４からなり、第１から第３ユニットａ１〜ａ３は垂直につながり、第４ユニットａ４は第３ユニットａ３の片側に水平につながり、
積み木１Ｂは５個のユニットｂ１〜ｂ５からなり、第１から第３ユニットｂ１〜ｂ３は垂直につながり、第４と第５ユニットｂ４、ｂ５は垂直につながり、前記第４と第５ユニットｂ４、ｂ５は前記第１と第２ユニットｂ１〜ｂ２の片側に水平につながり、
積み木１Ｃは５個のユニットｃ１〜ｃ５からなり、第１から第４ユニットｃ１〜ｃ４は垂直につながり、第５ユニットｃ５は前記第３ユニットｂ３の片側に水平につながり、
積み木１Ｄは３個のユニットｄ１〜ｄ３からなり、第１と第２ユニットｄ１、ｄ２は垂直につながり、第３ユニットｄ３は前記第１ユニットｂ１の片側に水平につながり、
積み木１Ｅは５個のユニットｅ１〜ｅ５からなり、第１と第２ユニットｅ１、ｅ２は垂直につながり、第３と第４ユニットｅ３、ｅ４は垂直につながり、第３ユニットｅ３は前記第２ユニットｅ２の左片側につながり、第５ユニットｅ５は前記第４ユニットｅ４の左片側につながり、
積み木１Ｆは４個のユニットｆ１〜ｆ４からなり、第１と第２ユニットｆ１、ｆ２は垂直につながり、第３と第４ユニットｆ３、ｆ４は垂直につながり、第３ユニットｆ３は前記第２ユニットｆ２の片側につながり、
積み木１Ｇは４個のユニットｇ１〜ｇ４からなり、第１から第３ユニットｇ１〜ｇ３は垂直につながり、第４ユニットｇ４は前記第２ユニットｇ２の片側に水平につながり、
積み木１Ｈは５個のユニットｈ１〜ｈ５からなり、第１から第３ユニットｈ１〜ｈ３は垂直につながり、第４ユニットｈ４は前記第２ユニットｈ２の左片側に水平につながり、第５ユニットｈ５は第２ユニットｈ２の右片側に水平につながり、
前記４個の積み木はそれぞれ、５個又は６個ユニットの二次元角度（Ｘ軸、Ｙ軸）で作られた、形状の異なる４個の積み木１Ｉ〜１Ｌで構成され、
積み木１Ｉは５個のユニットｉ１〜ｉ５からなり、第１から第４ユニットｉ１〜ｉ４は垂直につながり、第５ユニットｉ５は前記第１ユニットｉ１の片側に水平につながり、
積み木１Ｊは、５個のユニットｊ１〜ｊ５からなり、第１から３ユニットｊ１〜ｊ３は垂直につながり、第４と第５ユニットｊ４、ｊ５は垂直につながり、第４ユニットｊ４は前記第３ユニットｊ３の片側に水平につながり、
積み木１Ｋは５個のユニットｋ１〜ｋ５からなり、第１から第３ユニットｋ１〜ｋ３は垂直につながり、第４ユニットｋ４は前記第２ユニットｋ２の左片側に水平につながり、第５ユニットｋ５は前記第１ユニットｋ１の右片側につながり、
積み木１Ｌは６個のユニットｌ１〜ｌ６からなり、第１から第３ユニットｌ１〜ｌ３は垂直につながり、第４から第５ユニットｌ４、ｌ５は垂直につながると同時に、前記第２と第３ユニットｌ２〜ｌ３の左片側に水平につながり、第６ユニットｌ６は前記第５ユニットｌ５の左片側につながり、
平面に組合せ又は立体三面錐体に積み重ねる、
ことを特徴とする積み木装置。
【請求項６】
長さ方向に８個、幅方向に７個のユニットを組合せるための配列盤３０Ｂを備え、前記配列盤３０Ｂに１２個の積み木１Ａ〜１Ｌを入れて、総数５６個の方形平面体７０を作る請求項５に記載の積み木装置。
【請求項７】
配列盤３０Ｂ内の底面に、５６個の方形の定位置切込み溝３２が並設され、１２個の積み木１Ａ〜１Ｌの各ユニットの表面に、前記定位置切込み溝３２内に嵌め込み可能な定位置バンプ１１が設けられる請求項６に記載の積み木装置。
【請求項８】
各辺に６個、総数２１個の三角定位置切込み溝４２を有する三角形ゲームベース４０Ｂを備え、前記三角形ゲームベース４０Ｂに１２個の積み木１Ａ〜１Ｌを入れて、高さ６段８１〜８６の立体三面錐体８０を作る請求項５に記載の積み木装置。
【発明の詳細な説明】
【技術分野】
【０００１】
本発明は積み木装置に関し、特に、平面に組合せ又は立体三面錐体に積み重ねる形式で、各年齢層の使用に適合し、頭がよくなる積み木装置に関する。
【背景技術】
【０００２】
頭がよくなる積み木は、本発明の発明者が既に数種類開発している。これは積み木の平面配列又は立体積み重ねを行うものであり、脳力開発によく、初心者でも簡単なところから順序良く進められ、楽しみながら学習できる効果がある。この種の積み木装置は特許文献１〜６に記載されている。特許文献１は４個の積み木及び配列盤の組み合わせからなる積み木装置に関するもので、４個の積み木はそれぞれ、５個のユニットからなる、異なる形状の積み木になっている。特許文献２は７個の積み木及び配列盤の組み合わせからなる積み木装置に関するもので、７個の積み木はそれぞれ、５個のユニットからなる、異なる形状の積み木になっている。特許文献３は９個の積み木及び配列盤の組み合わせからなる積み木装置に関するもので、９個の積み木はそれぞれ、３〜４個のユニットからなる、異なる形状の積み木になっている。特許文献４は１３個の積み木、配列盤、及び四角形ゲームベースの組み合わせからなる積み木装置に関するもので、１４個の積み木はそれぞれ、１〜５個のユニットからなる、異なる形状の積み木になっている。特許文献５は１７個の積み木、配列盤、及び三角形ゲームベースの組み合わせからなる積み木装置に関するもので、１７個の積み木はそれぞれ、３〜６個のユニットからなる、異なる形状の積み木になっている。特許文献６は１９個の積み木、配列盤、及び四角形ゲームベースの組み合わせからなる積み木装置に関するもので、１９個の積み木はそれぞれ、１〜６個のユニットからなる、異なる形状の積み木になっている。
【０００３】
【特許文献１】中華民国特許公告第１８８９２５号  分解可能式立体ピラミッド及び平面組合せ構造  １９９２年８月１１日公開
【特許文献２】中華民国特許公告第１４２５６５号  分解可能式立体ピラミッド及び平面組合せ構造  １９９０年９月２１日公開
【特許文献３】中華民国特許公告第４５４５５２号  変化可能な多様組合せ形態の積み重なった積み木  ２００１年９月１１日公開
【特許文献４】中華民国特許公告第２８５０７０号  平面式配列組合せから積み重なった三つの異なった立体形態に変えられる球形積み木  １９９６年９月１日公開
【特許文献５】中華民国特許公告第５７７３４４号  頭によくなる積み木及びそれに合わせるためのゲーム装置  ２００４年２月２１日公開  米国特許公告号ＵＳ  ７，０４０，６２１
【特許文献６】中華民国特許公告第３９８３１３号  変化可能な６０、９０及び１２０度組合せの造形積み木  ２０００年７月１１日公開  米国特許公告号ＵＳ  ６，２２０，９１９
【発明の開示】
【発明が解決しようとする課題】
【０００４】
しかしながら、上記特許文献１〜６に開示された積み木装置では、積み木の使用総数がそれぞれ、４個、７個、９個、１３個、１７個、１９個で、これらの積み木を特定の配列盤に組み合わせて、平面造形体又は立体造形体に並べるようになっているが、これらの積み木装置には、８個の積み木で平面造形体又は立体三面錐体を形成できるものがないことから、８個の積み木でどのようにして、平面造形体又は立体三面錐体を形成できるか、これが本発明の解決しようとする１つ目の課題である。この場合、８個の積み木は、何個のユニットで作られ、どのような形状にするか、積み木のユニット間の角度の配置関係がどうなるか、これが特に解決しなければならない点である。また、８個の積み木で適当な平面造形体を作る、従来の配列盤と異なるものを設計するのが、本発明の解決しようとする２つ目の課題である。さらに、８個の積み木を適当な立体錐体に積み重ねる、従来のゲームベースと異なる、三角形又は四角形のゲームベースを設計、提供するのが、本発明の解決しようとする３つ目の課題である。またさらに、８個の積み木に、異なる形状の積み木を追加して、異なる平面造形体又は立体造形体に並べることが、本発明の解決しようとする４つ目の課題である。この場合、何個の積み木を追加すればよいか（例えば、４個追加する場合など）、何個のユニットで組み合わせるか、どんな形状に組み合わせるか、ユニット間の角度の配置関係がどうなるか等が、特に解決しなければならない点である。またさらに、８個及び追加する積み木を適当な平面造形体に並べる、従来の配列盤と異なるものを設計するのが、本発明の解決しようとする５つ目の課題である。その他、８個及び追加する積み木を、適当な立体錐体に並べる、従来のゲームベースと異なる、三角形又は四角形のゲームベースを設計することが、本発明の解決しようとする６つ目の課題である。
【０００５】
そこで、本発明の第１の目的は、８個の異なる形状の積み木を平面の組合せに並べ、又は三面錐体に積み重ねる積み木装置を提供することにある。本発明の第２の目的は、８個の積み木を組み合わせて、平面造形体を形成するための配列盤を提供することにある。本発明の第３の目的は、８個の積み木を組み合わせて、立体三面錐体に積み重ねるための三角形ゲームベースを提供することにある。本発明の第４の目的は、８個の積み木に４個の積み木を追加して、１２個の積み木を平面に組合せ又は立体三面錐体に重ねる積み木装置を提供することにある。本発明の第５の目的は、１２個の積み木を組み合わせて、平面造形体を形成するための配列盤を提供することにある。本発明の第６の目的は、１２個の積み木を組み合わせて、立体三面錐体に積み重ねるための三角形ゲームベースを提供することにある。以上の目的に基づき、本発明の８個又は１２個の積み木の形状、ユニット数、角度の配置関係は、既述の特許文献１〜６の積み木数、形状、ユニット数及び角度の配置関係と異なるもので、その組合せ、並べ方も異なるから、変化性や面白さも異なるものとなる。
【課題を解決するための手段】
【０００６】
上記の課題を解決し、上記の目的を達成させるために、この発明の請求項１に係る発明は、８個の積み木装置１０は、それぞれ３〜５個ユニットの二次元角度（Ｘ軸、Ｙ軸）で作られた、形状の異なる８個の積み木１Ａ〜１Ｈからなるものを特徴とする平面組合せ又は立体三面錐体に積み重ねられた積み木装置であり、各積み木の形状では、積み木１Ａは、４個のユニットａ１〜ａ４があり、第１から第３ユニットａ１〜ａ３は垂直につながり、第４ユニットａ４は第３ユニットａ３の片側に水平につながっている。積み木１Ｂは、５個のユニットｂ１〜ｂ５があり、第１から第３ユニットｂ１〜ｂ３は垂直につながり、第４と第５ユニットｂ４、ｂ５も垂直につながっているが、前記第４と第５ユニットｂ４、ｂ５は、前記第１と第２ユニットｂ１〜ｂ２の片側に水平につながっている。積み木１Ｃは、５個のユニットｃ１〜ｃ５があり、第１から第４ユニットｃ１〜ｃ４は垂直につながり、第５ユニットｃ５は前記第３ユニットｂ３の片側に水平につながっている。積み木１Ｄは、３個のユニットｄ１〜ｄ３があり、第１と第２ユニットｄ１、ｄ２は垂直につながり、第３ユニットｄ３は前記第１ユニットｂ１の片側に水平につながっている。積み木１Ｅは、５個のユニットｅ１〜ｅ５があり、第１と第２ユニットｅ１、ｅ２は垂直につながり、第３と第４ユニットｅ３、ｅ４は垂直につながり、第３ユニットｅ３は、前記第２ユニットｅ２の左片側に水平につながり、第５ユニットｅ５は前記第４ユニットｅ４の左片側に水平につながっている。積み木１Ｆは、４個のユニットｆ１〜ｆ４があり、第１と第２ユニットｆ１、ｆ２は垂直につながり、第３と第４ユニットｆ３、ｆ４も垂直につながり、第３ユニットｆ３は前記第２ユニットｆ２の片側に水平につながっている。積み木１Ｇは、４個のユニットｇ１〜ｇ４があり、第１から第３ユニットｇ１〜ｇ３は垂直につながり、第４ユニットｇ４は前記第２ユニットｇ２の片側に水平につながっている。
積み木１Ｈは、５個のユニットｈ１〜ｈ５があり、第１から第３ユニットｈ１〜ｈ３は垂直につながり、第４ユニットｈ４は前記第２ユニットｈ２の左片側に水平につながり、第５ユニットｈ５は第２ユニットｈ２の右片側に水平につながっていることを特徴とする平面組合せ又は立体三面錐体に積み重ねられた積み木装置である。この発明の請求項２に係る発明は、長が七個、幅が五個のユニットの組合せを行うための配列盤３０Ａがあり、そこに八個の積み木１Ａ〜１Ｈが入れられて、総数三十五個の方形平面体５０が作られることを特徴とする請求項１に記載の積み木装置である。この発明の請求項３に係る発明は、前記配列盤３０Ａ内の底面には、三十五個で並べた方形の定位置切込み溝３２があり、八個の積み木１Ａ〜１Ｈの各ユニットの表面には、前記定位置切込み溝３２内に嵌められる定位置バンプ１１があることを特徴とする請求項２に記載の平面組合せ又は立体三面錐体に積み重ねられた積み木装置である。この発明の請求項４に係る発明は、更に、各辺が五個、総数十五個の三角定位置切込み溝４２で組み合わせた三角形ゲームベース４０Ａがあり、そこに八個の積み木１Ａ〜１Ｈが入れられて、高さ五段６１〜６５の立体三面錐体６０が作られることを特徴とする請求項１に記載の積み木装置である。
【０００７】
また、この発明の請求項５に係る発明は、前記請求項１の８個の積み木装置１０に４個の積み木装置（１０’）を追加して作られた１２個の積み木装置２０であり、前記８個の積み木装置１０は、それぞれ３〜５個ユニットの二次元角度（Ｘ軸、Ｙ軸）で作られた、形状の異る８個の積み木１Ａ〜１Ｈからなるものである。前記４個の積み木装置（１０’）は、それぞれ５個又は６個ユニットの二次元角度（Ｘ軸、Ｙ軸）で作られた、形状の異なった４個の積み木１Ｉ〜１Ｌからなるものである。前記１２個の積み木１Ａ〜１Ｌの形状では、積み木１Ａは、４個のユニットａ１〜ａ４があり、第１から第３ユニットａ１〜ａ３は垂直につながり、第４ユニットａ４は第３ユニットａ３の片側に水平につながっている。積み木１Ｂは、５個のユニットｂ１〜ｂ５があり、第１から第３ユニットｂ１〜ｂ３は垂直につながり、第４と第５ユニットｂ４、ｂ５も垂直につながっているが、前記第４と第５ユニットｂ４、ｂ５は前記第１と第２ユニットｂ１〜ｂ２の片側に水平につながっている。積み木１Ｃは、５個のユニットｃ１〜ｃ５があり、第１から第４ユニットｃ１〜ｃ４は垂直につながり、第５ユニットｃ５は前記第３ユニットｂ３の片側に水平につながっている。積み木１Ｄは、３個のユニットｄ１〜ｄ３があり、第１と第２ユニットｄ１、ｄ２は垂直につながり、第３ユニットｄ３は前記第１ユニットｂ１の片側に水平につながっている。積み木１Ｅは、５個のユニットｅ１〜ｅ５があり、第１と第２ユニットｅ１、ｅ２は垂直につながり、第３と第４ユニットｅ３、ｅ４は垂直につながり、第３ユニットｅ３は前記第２ユニットｅ２の左片側につながり、そして第５ユニットｅ５は前記第４ユニットｅ４の左片側につながっている。積み木１Ｆは、４個のユニットｆ１〜ｆ４があり、第１と第２ユニットｆ１、ｆ２は垂直につながり、第３と第４ユニットｆ３、ｆ４も垂直につながり、第３ユニットｆ３は前記第２ユニットｆ２の片側につながっている。積み木１Ｇは、４個のユニットｇ１〜ｇ４があり、第１から第３ユニットｇ１〜ｇ３は垂直につながり、第４ユニットｇ４は前記第２ユニットｇ２の片側に水平につながっている。積み木１Ｈは、５個のユニットｈ１〜ｈ５があり、第１から第３ユニットｈ１〜ｈ３は垂直につながり、第４ユニットｈ４は前記第２ユニットｈ２の左片側に水平につながり、第５ユニットｈ５は第２ユニットｈ２の右片側に水平につながっている。積み木１Ｉは、５個のユニットｉ１〜ｉ５があり、第１から第４ユニットｉ１〜ｉ４は垂直につながり、第５ユニットｉ５は前記第１ユニットｉ１の片側に水平につながっている。積み木１Ｊは、５個のユニットｊ１〜ｊ５があり、第１から３ユニットｊ１〜ｊ３は垂直につながり、第４と第５ユニットｊ４、ｊ５も垂直につながり、そして第４ユニットｊ４は前記第３ユニットｊ３の片側に水平につながっている。積み木１Ｋは、５個のユニットｋ１〜ｋ５があり、第１から第３ユニットｋ１〜ｋ３は垂直につながり、第４ユニットｋ４は前記第２ユニットｋ２の左片側に水平につながり、第５ユニットｋ５は前記第１ユニットｋ１の右片側につながっている。積み木１Ｌは、６個のユニットｌ１〜ｌ６があり、第１から第３ユニットｌ１〜ｌ３は垂直につながり、第４から第５ユニットｌ４、ｌ５も垂直につながると同時に、前記第２と第３ユニットｌ２〜ｌ３の左片側に水平につながっており、また、第６ユニットｌ６は前記第５ユニットｌ５の左片側につながっていることを特徴とする平面組合せ又は立体三面錐体に積み重ねられた積み木装置である。この発明の請求項６に係る発明は、更に、長さが８個、幅が７個のユニットの組合せを行うための配列盤３０Ｂがあり、そこに１２個の積み木１Ａ〜１Ｌが入れられて、総数５６個の方形平面体７０が作られることを特徴とする請求項５に記載の積み木装置である。この発明の請求項７に係る発明は、前記配列盤３０Ｂ内の底面には、５６個で並べた方形の定位置切込み溝３２があり、１２個の積み木１Ａ〜１Ｌの各ユニットの表面には、前記定位置切込み溝３２内に嵌められる定位置バンプ１１があることを特徴とする請求項６に記載の積み木装置である。この発明の請求項８に係る発明は、各辺が６個、総数２１個の三角定位置切込み溝４２で組み合わせた三角形ゲームベース４０Ｂがあり、そこに１２個の積み木１Ａ〜１Ｌが入れられて、高さ６段８１〜８６の立体三面錐体８０が作られることを特徴とする請求項５に記載の積み木装置である。
【発明の効果】
【０００８】
本発明の積み木装置は、上記の各構成により、次のような作用効果を有する。形状の異なる８個の積み木１Ａ〜１Ｈはそれぞれ、３〜５個のユニットを組み合わせたものであり、形状の異なる８個の積み木１Ａ〜１Ｈを、平面に長さ方向に７個、幅方向に５個の方形平面体５０に並べ、又は砂浜、軟らかい所（例えば、軟土）に、各辺が５個、底部の総数が１５個、高さが５段６１〜６５の立体三面錐体６０に積み重ねる。これにより、平面から立体に、又は立体から平面に変わるゲーム効果がある。８個の積み木１Ａ〜１Ｈはユニット数が異なり、形状が異なり、そして、角度の配置関係が異なるため、頭脳トレーニングのもとで、ユーザの思考力、忍耐力、数字と形状に対する鋭い観察力を身につけることができる。
【０００９】
本発明における形状の異なる８個の積み木１Ａ〜１Ｈに、形状の異なる４個の積み木１Ｉ〜１Ｌを追加して、形状の異なる１２個の積み木１Ａ〜１Ｌになるが、これにより、長さ方向に８個、幅方向に７個の方形平面体７０に並べ、又は砂浜、軟らかい所（例えば、軟土）に、各辺が６個、底部の総数が２１個、高さが６段８１〜８６の立体三面錐体８０に積み重ねる。１２個の積み木１Ａ〜１Ｌのユニット数、形状、角度の配置関係は、８個の積み木１Ａ〜１Ｈと異なるため、上述のゲームより、平面から立体に、又は立体から平面に変わる困難度の高いゲーム効果があり、その組合せの多様性や面白さが増え、ユーザは空間への論理的思考力、忍耐力を高めることができる。
【００１０】
本発明における８個の積み木１Ａ〜１Ｈ又は１２個の積み木１Ａ〜１Ｌは、大きさの異なる２個の配列盤３０Ａ、３０Ｂ内に、大きさの異なる方形平面体５０、７０を並べることができるが、この２個の配列盤３０Ａ、３０Ｂは、積み木の使用有効範囲が制限され、大きさの異なる方形平面造形を作ることができ、ユーザは形体や空間への論理的思考力を高めることができる。
【００１１】
本発明の８個の積み木１Ａ〜１Ｈ又は１２個の積み木１Ａ〜１Ｌは、大きさの異なる三角形ゲームベース４０Ａ、４０Ｂに、段数の異なる三面錐体６０、８０に並べることができるが、２個の異なる三角形ゲームベース４０Ａ、４０Ｂにより、積み木が安定し、上へと積み重ねられても、滑り動きや揺れなどが避けられる。三角形ゲームベース４０Ａ、４０Ｂの定位置切込み溝４２は、三角錐形であるため、積み木を組み合わせるときに、ユーザは方向、角度と位置との配置組合せが問わられ、立体三次元の考えを高めることができる。なお、特許文献５（特許公開第５７７３４４号）に三角形ゲームベースが述べられているが、それは、各辺が７個、総数２８個の三角定位置切込み溝で作られたゲームベースであり、これに対して、本発明の２個の三角形ゲームベース４０Ａ、４０Ｂでは、各辺が５個、総数１５個の三角定位置切込み溝４２で作られた三角形ゲームベース４０Ａ、及び各辺が６個、総数２１個の三角定位置切込み溝４２で作られた三角形ゲームベース４０Ｂであるため、その形状、段数、積み重ね方の変化、面白さは異なるものとなる。
【００１２】
本発明の配列盤３０Ａ、３０Ｂ内の方形定位置切込み溝３２に、各積み木の各ユニットの表面の定位置バンプ１１が嵌め込まれて、各積み木が配列盤に嵌められるから、滑り動きや揺れなどが生じることがなく、積み木を組み合わせるのに役立つ。
【００１３】
最後に、特に強調したいのは、本発明の８個の積み木１Ａ〜１Ｈ又は１２個の積み木１Ａ〜１Ｌにおいて、積み木の形状とユニット数が既述の特許文献１〜６と異なることであり、本発明の積み木の形状、ユニット数は、その中の数個が従来のものと同じだが、完全に同じものではない。特許文献４（特許公開号第２８５０７０号）を例にすると、形状の異なる１３個の積み木１、１１〜２２が掲示されているが、本発明の１２個の積み木１Ａ〜１Ｌには、特許文献４の積み木１、１１、１４、２２がなく、特許文献４には、本発明の積み木１Ｆ、１Ｇ、１Ｋ、１Ｌがない、ということで、積み木の数が異なり、形状が異なり、ユニット数が異なり、角度の配置関係が異なるので、その組合せの変化、面白さは異なり、そして、本発明の提案する５段又は６段の三面錐体の実施例は従来にはないもので、新規性やオリジナル性の要件に適合するものとなる。
【発明を実施するための最良の形態】
【００１４】
まず、本発明の第１の実施の形態について図面を用いて説明する。図１は８個の積み木の斜視図である。図１に示すように、積み木装置１０は、形状の異なる８個の積み木１Ａ、１Ｂ、１Ｃ、１Ｄ、１Ｅ、１Ｆ、１Ｇ、１Ｈからなり、これら８個の積み木はそれぞれ、３〜５個のユニットが二次元角度（Ｘ軸、Ｙ軸）で組み合わせられる。
【００１５】
各積み木の形状は次のとおりである。積み木１Ａは４個のユニットａ１〜ａ４からなり、第１から第３ユニットａ１〜ａ３は垂直につながり、第４ユニットａ４は第３ユニットａ３の片側に水平につながっている。第４ユニットａ４と第２ユニットａ２との間の角度θは９０度である。積み木１Ｂは５個のユニットｂ１〜ｂ５からなり、第１から第３ユニットｂ１〜ｂ３は垂直につながり、第４と第５ユニットｂ４、ｂ５もまた垂直につながり、第４と第５ユニットｂ４、ｂ５は第１と第２ユニットｂ１〜ｂ２の片側に水平につながっている。第３ユニットｂ３と第５ユニットｂ５間の角度θは９０度である。積み木１Ｃは５個のユニットｃ１〜ｃ５からなり、第１から第４ユニットｃ１〜ｃ４は垂直につながり、第５ユニットｃ５は第３ユニットｂ３の片側に水平につながっている。第４ユニットｃ４と第５ユニットｃ５間の角度θは９０度である。積み木１Ｄは３個のユニットｄ１〜ｄ３からなり、第１から第２ユニットｄ１、ｄ２は垂直につながり、第３ユニットｄ３は第１ユニットｂ１の片側に水平につながっている。第２ユニットｄ２と第３ユニットｄ３間の角度θは９０度である。積み木１Ｅは５個のユニットｅ１〜ｅ５からなり、第１と第２ユニットｅ１、ｅ２は垂直につながり、第３と第４ユニットｅ３、ｅ４は垂直につながり、そして、第３ユニットｅ３は第２ユニットｅ２の左片側に水平につながり、第５ユニットｅ５は第４ユニットｅ４の左片側に水平につながっている。第１ユニットｅ１と第３ユニットｅ３間の角度θは９０度で、第３ユニットｅ３と第５ユニットｅ５間の角度θも９０度である。積み木１Ｆは４個のユニットｆ１〜ｆ４からなり、第１と第２ユニットｆ１、ｆ２は垂直につながり、第３と第４ユニットｆ３、ｆ４も垂直につながり、そして、第３ユニットｆ３は第２ユニットｆ２）の片側に水平につながっている。第２ユニットｆ２と第４ユニットｆ４間の角度θは９０度である。積み木１Ｇは４個のユニットｇ１〜ｇ４からなり、第１から第３ユニットｇ１〜ｇ３は垂直につながり、第４ユニットｇ４は第２ユニットｇ２の片側に水平につながっている。第３ユニットｇ３と第４ユニットｇ４間の角度θは９０度である。積み木１Ｈは５個のユニットｈ１〜ｈ５からなり、第１から第３ユニットｈ１〜ｈ３は垂直につながり、第４ユニットｈ４は第２ユニットｈ２の左片側に水平につながり、第５ユニットｈ５は第２ユニットｈ２の右片側に水平につながっている。第１ユニットｈ１と第４ユニットｈ４間の角度θは９０度で、第３ユニットｈ３と第５ユニットｈ５間の角度θも９０度である。
【００１６】
これら８個の積み木１Ａ〜１Ｈの構造関係は、下表に示すとおりである。
【表１】
2008272484.tif 000003
【００１７】
図２は８個の積み木及び配列盤の組合せを示す斜視図、図３は図２の８個の積み木及び配列盤の組合せを示す平面図、図４は図３の斜視図である。これら図２、図３、図４に示すように、配列盤３０Ａは８個の積み木１Ａ〜１Ｈを使い長さ方向に７個、幅方向に５個のユニットの組み合わせを行うためのもので、そこに８個の積み木１Ａ〜１Ｈを入れて、総数３５個の方形平面体５０を作るようになっている。配列盤３０Ａ内の底面に、３５個の方形の定位置切込み溝３２が並べて形成され、８個の積み木１Ａ〜１Ｈの各ユニットの表面に、定位置切込み溝３２内に嵌め込まれる定位置バンプ１１が設けられて、各積み木１Ａ〜１Ｈが配列盤３０Ａに入れられたときに、相互の係合により、滑り動きや揺れなどが生じることがなく、各積み木の組合せに大いに役立つ。しかし、これは必ず設けなければならない構造ではない。したがって、定位置切込み溝３２及び定位置バンプ１１を設けていても設けていなくても、いずれも本発明の技術的範囲に含まれるものである。
【００１８】
図５は８個の積み木及び三角形ゲームベースの組合せを示す斜視図、図６は図５の８個の積み木及び三角形ゲームベースの組合せ後の斜視図、図７は図６の三角形ゲームベース及び三面錐体の各段の分解図である。これら図５、図６、図７に示すように、三角形ゲームベース４０Ａは８個の積み木１Ａ〜１Ｈを組合せるために、各辺に５個、総数１５個の三角定位置切込み溝４２を有し、そこに８個の積み木１Ａ〜１Ｈを入れて、高さ５段６１〜６５の立体三面錐体６０を作るようになっている。立体三面錐体６０とは、第１段６１は１個ユニット、第２段６２は３個ユニット、第３段６３は６個ユニット、第４段６４は１０個ユニット、第５段６５は１５個ユニットからなる三面錐体をいう。
【００１９】
次に、本発明の第２の実施の形態について図面を用いて説明する。図８は１２個の積み木装置２０の斜視図である。図８に示すように、１２個の積み木装置２０は８個の積み木装置１０に４個の積み木装置（１０’）を追加して作られている。８個の積み木装置１０は、図１に示したもので、その形状や構造は既に述べたとおりである。４個の積み木装置（１０’）は形状の異なる４個の積み木１Ｉ〜１Ｌからなり、それぞれ５個又は６個ユニットを二次元角度（Ｘ軸、Ｙ軸）で一体化したもので、その形状は次のとおりである。
【００２０】
積み木１Ｉは５個のユニットｉ１〜ｉ５からなり、第１から第４ユニットｉ１〜ｉ４は垂直につながり、第５ユニットｉ５は第１ユニットｉ１の片側に水平につながっている。第２ユニットｉ２と第５ユニットｉ５間の角度θは９０度である。積み木１Ｊは５個のユニットｊ１〜ｊ５からなり、第１から３ユニットｊ１〜ｊ３は垂直につながり、第４と第５ユニットｊ４、ｊ５は垂直につながり、そして、第４ユニットｊ４は第３ユニットｊ３の片側に水平につながっている。第３ユニットｊ３と第５ユニットｊ５間の角度θは９０度である。積み木１Ｋは５個のユニットｋ１〜ｋ５からなり、第１から第３ユニットｋ１〜ｋ３は垂直につながり、第４ユニットｋ４は第２ユニットｋ２の左片側に水平につながり、第５ユニットｋ５は第１ユニットｋ１の右片側に水平につながっている。第５ユニットｋ５と第２ユニットｋ２間の角度θは９０度で、第４ユニットｋ４と第３ユニットｋ３間の角度θも９０度である。積み木１Ｌは６個のユニットｌ１〜ｌ６からなり、第１から第３ユニットｌ１〜ｌ３は垂直につながり、第４と第５ユニットｌ４、ｌ５は垂直につながるとともに、第２と第３ユニットｌ２〜ｌ３の左片側にも水平につながっており、また、第６ユニットｌ６は第５ユニットｌ５の左片側に水平につながっている。第１ユニットｌ１と第４ユニットｌ４間の角度θは９０度で、第４ユニットｌ４と第６ユニットｌ６間の角度θも９０度である。
【００２１】
これら１２個の積み木装置２０は１２個の積み木１Ａ〜１Ｌからなり、その構造関係は下表に示すとおりである。
【表２】
2008272484.tif 000004
【００２２】
図９は１２個の積み木及び配列盤の組合せを示す斜視図、図１０は図９の１２個の積み木及び配列盤の組合せを示す斜視図、図１１は図１０の平面図である。これら図９、図１０、図１１に示すように、積み木装置２０は１２個の積み木１Ａ〜１Ｌからなり、配列盤３０Ｂは１２個の積み木１Ａ〜１Ｌを使い長さ方向に８個、幅方向に７個のユニットの組合せを行うためのもので、そこに１２個の積み木１Ａ〜１Ｌを入れて、総数５６個の方形平面体７０を作るようになっている。配列盤３０Ｂ内の底面に、５６個の方形の定位置切込み溝３２が並べて設けられ、１２個の積み木１Ａ〜１Ｌの各ユニットの表面に、定位置切込み溝３２内に嵌め込み可能な定位置バンプ１１が設けられて、各積み木が配列盤に入れられたときに、相互の組合せにより、滑り動きや揺れなどが生じることがなく、その組合せに大いに役立つ。しかし、これは必ず設けなければならない構造ではない。したがって、定位置切込み溝３２及び定位置バンプ１１を設けていても設けていなくても、いずれも本発明の技術的範囲に含まれるものである。
【００２３】
図１２は１２個の積み木及び三角形ゲームベースの組合せを示す斜視図、図１３は図１２の１２個の積み木及び三角形ゲームベースの組合せ後の斜視図、図１４は図１３の三角形ゲームベース及び三面錐体の各段の分解図である。これら図１２、図１３、図１４に示すように、三角形ゲームベース４０Ｂは１２個の積み木１Ａ〜１Ｌを組み合わせるために、各辺に６個、総数２１個の三角定位置切込み溝４２が並べて形成され、そこに１２個の積み木１Ａ〜１Ｌを入れて、高さ６段８１〜８６の立体三面錐体８０を作るようになっている。立体三面錐体８０とは、第１段８１は一個ユニット、第２段８２は３個ユニット、第３段８３は６個ユニット、第４段８４は１０個ユニット、第５段８５は１５個ユニット、第６段８６は２１個ユニットからなる立体三面錐体をいう。
【００２４】
以上、本発明を図面に基づいて詳しく巻明したが、この分野の業者が本発明の要旨の範囲内で、いかなる変更などを加えて、実施しても、本発明に関連する構造の実施の形態を利用して、本発明の要旨の範囲内で変更を行い、同じ効果を持つ限り、すべて本発明の範囲内に含まれるものである。
【図面の簡単な説明】
【００２５】
【図１】本発明の第１の実施の形態における８個の積み木を示す斜視図
【図２】図１の８個の積み木及び配列盤の組合せの斜視図
【図３】図２の８個の積み木及び配列盤の組合せ後の斜視図
【図４】図３の斜視図
【図５】図１の８個の積み木及び三角形ゲームベースの組合せの斜視図
【図６】図５の８個の積み木及び三角形ゲームベースの組合せ後の斜視図
【図７】図６の三角形ゲームベース及び立体三面錐体の各段の分解図
【図８】本発明の第２の実施の形態における１２個の積み木を示す斜視図
【図９】図８の１２個の積み木及び配列盤の組合せの斜視図
【図１０】図９の１２個の積み木及び配列盤の組合せ後の斜視図
【図１１】図１０の平面図
【図１２】図８の１２個の積み木及び三角形ゲームベースの組合せの斜視図
【図１３】図１２の１２個の積み木及び三角形ゲームベースの組合せ後の斜視図
【図１４】図１３の三角形ゲームベース及び立体三面錐体の各段の分解図
【符号の説明】
【００２６】
１０  ８個の積み木装置
１０’４個の積み木装置
２０  １２個の積み木装置
１Ａ〜１Ｈ  積み木
１Ｉ〜１Ｌ  積み木
１１  定位置バンプ
ａ１〜ａ４  ユニット
ｂ１〜ｂ５  ユニット
ｃ１〜ｃ５  ユニット
ｄ１〜ｄ３  ユニット
ｅ１〜ｅ５  ユニット
ｆ１〜ｆ４  ユニット
ｇ１〜ｇ４  ユニット
ｈ１〜ｈ５  ユニット
ｉ１〜ｉ５  ユニット
ｊ１〜ｊ５  ユニット
ｋ１〜ｋ５  ユニット
ｌ１〜ｌ６  ユニット
３０Ａ  配列盤
３０Ｂ  配列盤
３２  平面定位置切込み溝
４０Ａ  三角形ゲームベース
４０Ｂ  三角形ゲームベース
４２  三角定位置切込み溝
５０  方形平面体
６０  立体三面錐体
６１  第１段
６２  第２段
６３  第３段
６４  第４段
６５  第５段
７０  方形平面体
８０  立体三面錐体
８１  第１段
８２  第２段
８３  第３段
８４  第４段
８５  第５段
８６  第６段
θ  角度
【図１】
2008272484.tif 000005
【図２】
2008272484.tif 000006
【図３】
2008272484.tif 000007
【図４】
2008272484.tif 000008
【図５】
2008272484.tif 000009
【図６】
2008272484.tif 000010
【図７】
2008272484.tif 000011
【図８】
2008272484.tif 000012
【図９】
2008272484.tif 000013
【図１０】
2008272484.tif 000014
【図１１】
2008272484.tif 000015
【図１２】
2008272484.tif 000016
【図１３】
2008272484.tif 000017
【図１４】
2008272484.tif 000018